(57)【要約】【課題】  スライド駒の摺動部分を安定的に潤滑する。【解決手段】  軸筒１０と、該軸筒１０内で前後方向へ摺動可能なスライド駒２０と、スライド駒２０の前端側に接続されたリフィール３１又は３２とを備え、スライド駒２０を前進させて、リフィール３１又は３２の前端の筆記部を軸筒１０の前端から突出させる出没式筆記具において、スライド駒２０にグリス貯溜室を形成するとともに、該グリス貯溜室内にグリスＧを充填し、スライド駒２０の摺動面と前記グリス貯溜室との間に、グリスＧを流通させるグリス通路２４ａを形成した。【選択図】  図１
2015077723.tif 000002
【特許請求の範囲】
【請求項１】
軸筒と、該軸筒内で前後方向へ摺動可能なスライド駒と、前記スライド駒の前端側に接続されたリフィールとを備え、前記スライド駒を前進させて、前記リフィールの前端の筆記部を前記軸筒の前端から突出させる出没式筆記具において、
前記スライド駒にグリス貯溜室を形成するとともに、該グリス貯溜室内にグリスを充填し、前記スライド駒の摺動面と前記グリス貯溜室との間に、前記グリスを流通させるグリス通路を形成したことを特徴とする繰出し式筆記具。
【請求項２】
前記スライド駒に前後方向へ連続する筒状部を形成し、該筒状部内を前記グリス貯溜室としたことを特徴とする請求項１記載の繰出し式筆記具。
【請求項３】
前記グリス通路は、前記筒状部の周壁を内外へ貫通するように形成されていることを特徴とする請求項２記載の繰出し式筆記具。
【請求項４】
前記スライド駒は、前記軸筒内に周方向にわたって複数設けられ、
前記グリス通路は、周方向に隣り合う前記スライド駒の前記筒状部間を連通するように形成されていることを特徴とする請求項３記載の繰出し式筆記具。
【請求項５】
回動するカム斜面により前記スライド駒を軸筒前方へ押し進める回転カムを備え、前記回転カムが外部から回転操作されることにより、前記回転カムに押し上げられた前記スライド駒が、前記軸筒の内周面に摺接して前進し、前端の筆記部を前記軸筒の前端から突出させる繰出し式筆記具であって、
前記グリス通路は、前記筒状部の周壁を貫通して前記軸筒の内周面へ向かうように形成されていることを特徴とする請求項３記載の繰出し式筆記具。
【発明の詳細な説明】
【技術分野】
【０００１】
本発明は、スライド駒をスライドさせてリフィール前端の筆記部を軸筒から突出させる繰出し式筆記具に関し、特に、ボールペン用リフィールやシャープペンシル用リフィールを軸筒内に備え、これらリフィールの筆記部を回転操作により選択的に出没させるのに好適な繰出し式筆記具に関するものである。
【背景技術】
【０００２】
従来、この種の発明には、例えば特許文献１に記載されるように、軸筒（１０）と、該軸筒内で前後方向へスライド可能なスライド駒（２１）と、前記スライド駒の前端側に接続された複数種類のリフィール（３１，３２）と、前記スライド駒を軸筒後方へ付勢する付勢部材（４０）と、回動するカム斜面（傾斜面５１）により前記スライド駒を軸筒前方へ押し進める回転カム（５０）とを備え、前記回転カムの回転操作により、前記回転カムに押し上げられる前記リフィールの筆記部を、前記軸筒の前端から突出させるようにしたものがある。
【０００３】
ところで、前記従来技術によれば、筆記部を出没させるために回転カム（５０）の回転操作した際、その回転抵抗が小さすぎることや、スライド駒（２１）の係脱等による回転抵抗の変動、及び軽い係脱音の発生等に起因して、商品としての高級感を損ねてしまう場合がある。
そこで、例えば、特許文献２に記載される発明では、摺動部分にグリスを介在して、ある程度の回転抵抗を付与するようにしている。
【０００４】
しかしながら、前記後者の従来技術では、二部材間の摺接部分の隙間にグリスを介在する構造であるため、製造時にグリスを注入する作業のばらつき等に起因して、グリスが摺動部分に万遍なく行きわたらなかったり、長期間の使用等に起因して、二部材間のグリスが、潤滑の不要な箇所に流出したり等するおそれがある。
【先行技術文献】
【特許文献】
【０００５】
【特許文献１】特開２００９−１５４４５８号公報
【特許文献２】特開２０１０−２９４７２１号公報
【発明の概要】
【発明が解決しようとする課題】
【０００６】
本発明は上記従来事情に鑑みてなされたものであり、その課題とする処は、スライド駒の摺動部分を安定的に潤滑することができる繰出し式筆記具を提供することにある。
【課題を解決するための手段】
【０００７】
上記課題を解決するための一手段は、軸筒と、該軸筒内で前後方向へ摺動可能なスライド駒と、前記スライド駒の前端側に接続されたリフィールとを備え、前記スライド駒を前進させて、前記リフィールの前端の筆記部を前記軸筒の前端から突出させる出没式筆記具において、前記スライド駒にグリス貯溜室を形成するとともに、該グリス貯溜室内にグリスを充填し、前記スライド駒の摺動面と前記グリス貯溜室との間に、前記グリスを流通させるグリス通路を形成したことを特徴とする。
【発明の効果】
【０００８】
本発明は、以上説明したように構成されているので、スライド駒の摺動部分を安定的に潤滑することができる。
【図面の簡単な説明】
【０００９】
【図１】本発明に係る繰出し式筆記具の一例を示す断面図である。
【図２】回転カムの一例を示す平面図である。
【図３】図２の（III）−（III）線に沿う断面図である。
【図４】スライド駒の一例を示す平面図である。
【図５】同スライド駒の側面図である。
【図６】図４の（VI）−（VI）線に沿う断面図である。
【図７】三つのスライド駒を周方向に組み合わせた状態を示す後端面図である。
【図８】スライド駒の他例を示す後端面図である。
【発明を実施するための形態】
【００１０】
本実施の形態の第一の特徴は、軸筒と、該軸筒内で前後方向へ摺動可能なスライド駒と、前記スライド駒の前端側に接続されたリフィールとを備え、前記スライド駒を前進させて、前記リフィールの前端の筆記部を前記軸筒の前端から突出させる出没式筆記具において、前記スライド駒にグリス貯溜室を形成するとともに、該グリス貯溜室内にグリスを充填し、前記スライド駒の摺動面と前記グリス貯溜室との間に、前記グリスを流通させるグリス通路を形成した。
この構成によれば、グリス貯溜室内に蓄えられたグリスが、グリス通路を流通して徐々に摺動面に導かれる。よって、スライド駒の摺動部分の潤滑を、長期間にわたって安定的に維持することができる。
【００１１】
第二の特徴としては、前記スライド駒に前後方向へ連続する筒状部を形成し、該筒状部内を前記グリス貯溜室とした。
この構成によれば、グリス貯溜室によるグリスの保持力を向上することができ、例えば、グリスが不要な部分に無駄に流出してしまうようなことを防ぐことができる。
【００１２】
第三の特徴としては、前記グリス通路は、前記筒状部の周壁を内外へ貫通するように形成されている。
前記構成によれば、グリスの流通経路を特定の方向に限定して、効率的な潤滑を行うことができる。
【００１３】
第四の特徴としては、前記スライド駒は、前記軸筒内に周方向にわたって複数設けられ、前記グリス通路は、周方向に隣り合う前記スライド駒の前記筒状部間を連通するように形成されている。
この構成によれば、特に、隣り合うスライド駒間の摩擦を効果的に低減することができる。
【００１４】
第五の特徴としては、回動するカム斜面により前記スライド駒を軸筒前方へ押し進める回転カムを備え、前記回転カムが外部から回転操作されることにより、前記回転カムに押し上げられた前記スライド駒が、前記軸筒の内周面に摺接して前進し、前端の筆記部を前記軸筒の前端から突出させる繰出し式筆記具であって、前記グリス通路は、前記筒状部の周壁を貫通して前記軸筒の内周面へ向かうように形成されている。
この構成によれば、特に、スライド駒と軸筒内周面との間の摩擦を効果的に軽減することができる。
【実施例】
【００１５】
次に、上記特徴を有する好ましい実施例を、図面に基づいて詳細に説明する。
以下の説明中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、軸筒径方向に沿って軸筒中心から離れる方向を意味する。「軸筒径内方向」とは、軸筒径方向に沿って軸筒中心へ近づく方向を意味する。
【００１６】
この繰出し式筆記具は、図１に示すように、軸筒１０と、該軸筒１０内で前後方向へ摺動可能な複数のスライド駒２０と、各スライド駒２０の前端側に接続されたボールペン用リフィール３１又はシャープペンシル用リフィール３２と、各スライド駒２０を軸筒後方へ付勢する付勢部材４０と、回動するカム斜面５２ａによりリフィール３１（又は３２）を軸筒１０前方へ押し進める回転カム５０と、回転カム５０の後端側に接続されて外部に露出した回転操作部６０とを備え、回転操作部６０の回転操作によって回転カム５０が回転すると、回転カム５０に摺接されて前進したリフィール３１（又は３２）が、その前端の筆記部３１ｂ（又は３２ｂ）を軸筒１０の前端から突出させる。
また、この繰出し式筆記具は、シャープペンシル用リフィール３２の突出状態（前進位置）において、後方へ突出するノック部７０がノックされると、シャープペンシル用リフィール３２の前端から鉛芯を繰出す。
【００１７】
軸筒１０は、前軸１１と、該前軸１１を前端側に螺合接続した後軸１２とから長尺筒状に形成される。
【００１８】
前軸１１は、合成樹脂材料によって前端側を先窄み状とした略筒状に形成され、後端側の外周面に弾性材料（例えばエラストマー樹脂）等からなるグリップ１３を環状に装着している。
【００１９】
後軸１２は、合成樹脂材料によって略筒状に形成され、その後端側の内周面には、付勢部材４０の前端を受ける受部１２ａや、スライド駒２０を前後方向へ案内するガイド溝１２ｂ等が設けられる（図１及び図１０参照）。
【００２０】
なお、軸筒１０の他例としては、単数の筒状部材からなる態様や、３以上の筒状部材を接続した態様とすることも可能である。
【００２１】
また、スライド駒２０は、合成樹脂材料から一体成形され、図４〜図７に示すように、回転カム５０のカム斜面５２ａに摺接されて進退可能な被摺動部２１と、該被摺動部２１の前部側に設けられるスプリング受部２２及びリフィール装着部２３と、該被摺動部２１の後部側に設けられる筒状部２４（グリス貯溜室）とから一体に構成される。
【００２２】
被摺動部２１は、回転カム５０のカム斜面５２ａに摺接する山形部２１ａと、該山型部から前方（図４によれば下方）へ延設された摺接面部２１ｂと、後軸１２内周面のガイド溝１２ｂ（図１参照）に嵌合可能な被ガイド凸部２１ｃとを有する。
【００２３】
山形部２１ａは、後方へ頂部を向けた山形状であって、その後端の頂部を、回転カム５０のカム部５２に係脱する係脱突部２１ａ１としている（図４参照）。
摺接面部２１ｂは、山形部２１ａから前方（図４によれば下方）へ延設されるとともに、軸筒１０の内周面にならう曲面状に形成される。
被ガイド凸部２１ｃは、摺接面部２１ｂの表面から軸筒径外方向へ突出するとともに前後方向へ連続する突条である。
【００２４】
スプリング受部２２は、付勢部材４０（コイルスプリング）の後端側、二つの片状部分の間に保持して受けるように形成される（図４参照）
【００２５】
また、リフィール装着部２３は、前方を開口した有底筒状に形成され（図６参照）、ボールペン用リフィール３１又はシャープペンシル用リフィール３２を着脱可能に挿入する。図６中、符号２３ａは、ボールペン用リフィール３１又はシャープペンシル用リフィール３２を外周側から押圧し保持する突起である。
【００２６】
また、筒状部２４は、後方を開口した有底筒状に形成され（図６参照）、その内部を、グリスＧを貯溜するためのグリス貯溜室としている。この筒状部２４は、前後方向へ連続する横断面略扇形状（図７参照）に形成され、周方向において他のスライド駒２０の筒状部２４と接触する壁面に、グリスＧを流通させるためのグリス通路２４ａを有する。
【００２７】
グリス通路２４ａは、図６及び図７に示すように、前後方向（図６によれば上下方向）へ連続するスリット状であって、且つ筒状部２４周壁を貫通する切欠状に形成され、図示例によれば、筒状部２４の前後方向の全長にわたって連続している。
【００２８】
そして、筒状部２４内には、当該繰出し式筆記具の製造時に、高粘稠性のグリスＧが充填される。このグリスＧの充填量は、スライド駒２０の摺動抵抗や摺動音等を適宜に維持するように設定される。
【００２９】
上記構成のスライド駒２０は、図１に示すように、筒状部２４の開口を、後述する回転カム５０内へ向けるとともに、山形部２１ａを回転カム５０のカム斜面５２ａに摺接させ、且つ、被ガイド凸部２１ｃを軸筒１０内のガイド溝１２ｂに嵌め合せた状態で、後軸１２内に複数挿入されている。
【００３０】
なお、図７中、符号２０ｂは、複数のスライド駒２０について、軸筒中心寄りの部分での摩擦を軽減する切欠部であり、前後方向へ連続して設けられる。
【００３１】
また、ボールペン用リフィール３１は、インクタンク３１ａ内のインクを筆記部３１ｂ前端の転写ボールから吐出するように構成され、その後端側をスライド駒２０に挿入している。
【００３２】
また、シャープペンシル用リフィール３２は、後部側が進退運動することで、芯タンク３２ａ内の鉛芯を、前端の筆記部３２ｂから繰り出すように構成され、その後端側をスライド駒２０に挿入している。なお、図１中、符号３２ｃは、芯タンク３２ａを後方へ付勢するコイルスプリングである。
【００３３】
また、付勢部材４０は、ボールペン用リフィール３１とシャープペンシル用リフィール３２に対し、それぞれ環状に装着された圧縮コイルスプリングである。各付勢部材４０は、その前端部を軸筒１０内の受部１２ａに当接させるとともに、後端をスライド駒２０に当接させて、スライド駒２０を後方へ付勢している。
なお、この付勢部材４０は、スライド駒２０を後方へ付勢する構成であればよく、他例としては、スライド駒２０を後方へ引っ張る引張バネや、コイルスプリング以外の弾性体を用いることも可能である。
【００３４】
また、回転カム５０は、図２〜図３に示すように、軸筒１０と略同芯状の筒部５１と、該筒部５１から前方へ突出した山形状であってその周方向の両縁をカム斜面５２ａ，５２ａとしたカム部５２とを有し、合成樹脂材料から一体成形され、軸筒１０（詳細には後軸１２）内の後端側に、所定量進退可能且つ回転可能に挿入されている。
【００３５】
筒部５１は、軸筒１０と略同芯状の筒状に形成される。この筒部５１の外周面の前側には、後述する回転操作部６０が環状に装着される。図３中、符号５１ａは、回転操作部６０を回転不能に係止する凸条である。また、筒部５１の外周面の後側には、ノック部７０を着脱可能に乗越え嵌合させる環状突起５１ｂが設けられる。
さらに、筒部５１後部側は、後方を開口した有底筒状に形成され、この内部には、円柱状の消しゴム７１（図１参照）が交換可能に装着される。図３中の符号５１ｃは、消しゴム７１を外周から押圧して保持する凸条である。
【００３６】
また、カム部５２は、軸筒１０内周面に沿う山形状に形成され、その周方向の両縁をカム斜面５２ａ，５２ａとするとともに、これらカム斜面５２ａ，５２ａ間の頂部に、スライド駒２０の係脱突部２１ａ１を係脱させるための凹部５２ｂを有する（図２及び図３参照）。
この回転カム５０を回転させると、スライド駒２０は、カム部５２の一方のカム斜面５２ａに押し上げられるように摺接して前方へスライドし、係脱突部２１ａ１を、回転カム５０の凹部５２ｂに嵌め合せる。さらに、回転カム５０を回転させると、スライド駒２０は、係脱突部２１ａ１を凹部５２ｂから抜け出し、回転カム５０の他方のカム斜面５２ａに摺接して後方へスライドする。
【００３７】
回転操作部６０は、図１に示すように、回転カム５０の後端側に環状に固定されて軸筒１０外に露出される筒部６１と、該筒部６１の外周面に固定されたクリップ部６２とから一体に構成される。
【００３８】
また、ノック部７０は、軸筒１０の後端から後方へ突出する有底筒状の部材であり、その前端の開口部分を、回転カム５０後端側に環状に嵌め合せている。このノック部７０の内部には、消しゴム７１が収納される。
シャープペンシル用リフィール３２が軸筒１０から突出した状態で、このノック部７０がノック操作により進退すると、回転カム５０、及びシャープペンシル用リフィール３２の後部側も一体的に進退し、シャープペンシル用リフィール３２前端から鉛芯が繰り出される。
【００３９】
次に、上記構成の繰出し式筆記具について、その特徴的な作用効果を詳細に説明する。
回転操作部６０の回転操作により、軸筒１０に相対し回転カム５０を回転させると、複数のスライド駒２０は、回転カム５０のカム部５２に摺接されて進退する。この際、周方向に隣り合うスライド駒２０，２０は、これらの間（図７参照）の摺接面２０ａにて擦れるが、この摺接面２０ａには、筒状部２４内（グリス貯溜室）に蓄えられたグリスＧがグリス通路２４ａを介して流通する。このため、前記摺接面２０ａにおける摩擦抵抗を適宜に調整することができる。
筒状部２４内（グリス貯溜室）には、摺動部分の隙間にグリスを介在させるようにした従来技術等と比較し、多くのグリスＧが蓄えられている。
よって、スライド駒２０の摺接面２０ａを長期間安定的に潤滑することができ、回転操作部６０の回転抵抗の変動を小さくするとともに係脱音を軽減することができ、ひいては、高級感のある操作性を得ることができる。
また、図７に示す好ましい一例によれば、複数のスライド駒２０の軸筒中心寄りに切欠部２０ｂによる隙間が確保されるため、この隙間に流れ込もグリスＧによっても摩擦抵抗を適宜に調整することができる。
【００４０】
なお、上記実施例では、グリス通路２４ａをスリット状に形成したが、グリス通路２４ａの他例としては、丸孔や角孔、あるいは長孔等とすることも可能である。
【００４１】
また、上記実施例によれば、グリス通路２４ａを一つのみ設けたが、他例としては、グリス通路２４ａを同一の摺接面２０ａに複数設けることも可能である。
【００４２】
また、上記実施例によれば、グリス通路２４ａを周方向に隣り合うスライド駒２０の間の壁部に設けたが、他例としては、図８に示すスライド駒２０’のように、軸筒径外方向側の周壁にグリス通路２４ａ’を設けるようにしてもよい。
このグリス通路２４ａ’は、筒状部２４内（グリス貯溜室）から、軸筒１０の内周面へ向かうように、筒状部２４の周壁を貫通している。
よって、図８に示すスライド駒２０’を用いれば、筒状部２４内のグリスＧをスライド駒２０と軸筒１０内周面との間の摺接面にも導いて、該摺接面における摩擦抵抗も適宜に調整することができる。
【００４３】
また、上記実施例によれば、リフィール３１，３２及びスライド駒２０（又は２０’）等の数を３つとしたが（図７参照）、他例としては、これらリフィール３１，３２及びスライド駒２０（又は２０’）等の数を、単数や、２つ、あるいは４つ以上等とすることも可能である。
【００４４】
また、上記実施例によれば、特に好ましい態様として、回転操作により筆記部を突出させる回転繰出し式筆記具を構成したが、他例としては、回転操作以外の操作によりスライド駒を前後へ摺動させて筆記部を突出させる繰出し式筆記具を構成することも可能である。すなわち、この他例においても、前記スライド駒に上述した構成のグリス貯溜室及びグリス通路を設けて、スライド駒の摺動部分を安定的に潤滑することができる。
【符号の説明】
【００４５】
１０：軸筒                            ２０，２０’：スライド駒
２１：被摺動部                        ２１ａ：山形部
２１ａ１：係脱突部                    ２１ｂ：摺接面部
２１ｃ：被ガイド凸部                  ３１：ボールペン用リフィール
３２：シャープペンシル用リフィール    ２４：筒状部（グリス貯溜室）
２４ａ，２４ａ’：グリス通路          ４０：付勢部材
５０：回転カム                        ５２：カム部
５２ａ：カム斜面                      ５２ｂ：凹部
６０：回転操作部                      Ｇ：グリス
【図１】
2015077723.tif 000003
【図２】
2015077723.tif 000004
【図３】
2015077723.tif 000005
【図４】
2015077723.tif 000006
【図５】
2015077723.tif 000007
【図６】
2015077723.tif 000008
【図７】
2015077723.tif 000009
【図８】
2015077723.tif 000010